(57)【要約】【課題】ユーザが感じうる煩わしさを低減することが可能な撮像装置を、提供する。【解決手段】ユーザの頭部に装着して用いられる撮像装置、または、ユーザの頭部に装着して用いられる装着型の装置に接続して用いられる撮像装置であって、ユーザの一方の目を撮像対象とする第１の撮像部材と、ユーザの他方の目を撮像対象とする第２の撮像部材と、を備え、第１の撮像部材および第２の撮像部材は、撮像装置または装着型の装置がユーザの頭部に装着されたときに、一方の目側または他方の目側に位置するように、まとめて配置される、撮像装置が、提供される。【選択図】図２
2019054482.tif 000002
【特許請求の範囲】
【請求項１】
ユーザの頭部に装着して用いられる撮像装置、または、ユーザの頭部に装着して用いられる装着型の装置に接続して用いられる撮像装置であって、
前記ユーザの一方の目を撮像対象とする第１の撮像部材と、
前記ユーザの他方の目を撮像対象とする第２の撮像部材と、
を備え、
前記第１の撮像部材および前記第２の撮像部材は、前記撮像装置または前記装着型の装置が前記ユーザの頭部に装着されたときに、前記一方の目側または前記他方の目側に位置するように、まとめて配置される、撮像装置。
【請求項２】
前記第１の撮像部材および前記第２の撮像部材のうちの、前記撮像装置または前記装着型の装置が前記ユーザの頭部に装着されたときに撮像対象の目との距離がより大きくなる一方の撮像部材は、光学系を調整する調整機構を備える、請求項１に記載の撮像装置。
【請求項３】
前記第１の撮像部材および前記第２の撮像部材のうちの他方の撮像部材は、光学系を調整する調整機構を備える、請求項２に記載の撮像装置。
【請求項４】
前記第１の撮像部材および前記第２の撮像部材は、前記撮像装置または前記装着型の装置が前記ユーザの頭部に装着されたときに、前記ユーザの有効視野の外に位置するように、配置される、請求項１〜３のいずれか１項に記載の撮像装置。
【発明の詳細な説明】
【技術分野】
【０００１】
本発明は、撮像装置に関する。
【背景技術】
【０００２】
人の目の動きをモニタリングする技術が開発されている。人の右目を撮像するカメラと人の左目を撮像するカメラとを備える装置によって、人の目の動きをモニタリングする技術としては、例えば特許文献１に記載の技術が挙げられる。
【先行技術文献】
【特許文献】
【０００３】
【特許文献１】特開２０１５−１０９９８４号公報
【発明の概要】
【発明が解決しようとする課題】
【０００４】
視線の検出に用いられる手法としては、例えば角膜反射法を利用する方法がある。角膜反射法は、ＩＲ  ＬＥＤ（InfraRed  Light  Emitting  Diode）などの光源の光が角膜において反射された角膜反射像（「プルキニエ像」とも呼ばれる。）を用いて視線を検出する方法である。角膜反射法が用いられる場合、例えば、視線の検出対象のユーザの両目それぞれに対応する２つの角膜反射像を撮像装置で撮像して２つの角膜反射像を観測し、観測された角膜反射像の位置に対する瞳孔の位置に基づいて、視線が検出される。
【０００５】
ここで、例えば、角膜反射法を利用したユーザの視線の検出に用いられる既存の装置や、ユーザの目の計測に用いられる既存の装置は、撮像部材によってユーザの目を撮像する。また、上記ようなユーザの目を撮像する既存の装置では、例えば特許文献１に記載の装置のように、検出対象のユーザの両目それぞれに対応する２つの撮像部材が、ユーザの右目に対応する位置とユーザの左目に対応する位置との２箇所に配置される。
【０００６】
しかしながら、既存の装置のように、ユーザの右目に対応する位置とユーザの左目に対応する位置との２箇所に撮像部材が配置される構成の場合には、２箇所に配置された撮像部材がユーザに認識されることがある。また、２箇所に配置された撮像部材がユーザに認識された場合、２箇所に配置された撮像部材をユーザが煩わしく感じてしまう可能性がある。
【０００７】
本発明は、上記問題に鑑みてなされたものであり、本発明の目的とするところは、ユーザが感じうる煩わしさを低減することが可能な、新規かつ改良された撮像装置を提供することにある。
【課題を解決するための手段】
【０００８】
上記目的を達成するために、本発明のある観点によれば、ユーザの頭部に装着して用いられる撮像装置、または、ユーザの頭部に装着して用いられる装着型の装置に接続して用いられる撮像装置であって、上記ユーザの一方の目を撮像対象とする第１の撮像部材と、上記ユーザの他方の目を撮像対象とする第２の撮像部材と、を備え、上記第１の撮像部材および上記第２の撮像部材は、上記撮像装置または上記装着型の装置が上記ユーザの頭部に装着されたときに、上記一方の目側または上記他方の目側に位置するように、まとめて配置される、撮像装置が、提供される。
【０００９】
かかる構成によって、撮像部材が配置される箇所を減らすことができるので、ユーザにとって目障りとなる可能性がある部分を減らすことが可能となる。したがって、かかる構成によって、ユーザが感じうる煩わしさを低減することができる。
【００１０】
また、上記第１の撮像部材および上記第２の撮像部材のうちの、上記撮像装置または上記装着型の装置が上記ユーザの頭部に装着されたときに撮像対象の目との距離がより大きくなる一方の撮像部材は、光学系を調整する調整機構を備えていてもよい。
【００１１】
また、上記第１の撮像部材および上記第２の撮像部材のうちの他方の撮像部材は、光学系を調整する調整機構を備えていてもよい。
【００１２】
また、上記第１の撮像部材および上記第２の撮像部材は、上記撮像装置または上記装着型の装置が上記ユーザの頭部に装着されたときに、上記ユーザの有効視野の外に位置するように、配置されていてもよい。
【発明の効果】
【００１３】
本発明によれば、ユーザが感じうる煩わしさを低減することができる。
【図面の簡単な説明】
【００１４】
【図１】ユーザの両目をそれぞれ撮像するための撮像部材の配置の一例を概略的に示す説明図である。
【図２】本発明の実施形態に係る撮像装置における、第１の撮像部材と第２の撮像部材との配置の一例を概略的に示す説明図である。
【図３】本発明の実施形態に係る撮像装置の外観の一例を示す説明図である。
【図４】本発明の実施形態に係る撮像装置における撮像状態の一例を示す説明図である。
【図５】本発明の実施形態に係る撮像装置における撮像状態の他の例を示す説明図である。
【発明を実施するための形態】
【００１５】
以下、添付図面を参照しながら、本発明の好適な実施の形態について詳細に説明する。なお、本明細書および図面において、実質的に同一の機能構成を有する構成要素については、同一の符号を付することにより重複説明を省略する。
【００１６】
［１］本発明の実施形態に係る撮像装置
［１−１］本発明の実施形態に係る撮像装置の構成
本発明の実施形態に係る撮像装置は、例えば、アイウェアや耳かけ型の装置のようなユーザの頭部に装着して用いられる装着型の装置であって、撮像機能を有する装置である。また、本発明の実施形態に係る撮像装置は、例えば、アイウェアなどのユーザの頭部に装着して用いられる装着型の装置に物理的に接続して用いられ、撮像機能を有する装置であってもよい。以下では、ユーザの頭部に装着して用いられる本発明の実施形態に係る撮像装置を、「装着型の撮像装置」と示す場合がある。また、以下では、ユーザの頭部に装着して用いられる装着型の装置を「装着型の装置」と示し、装着型の装置に物理的に接続可能な本発明の実施形態に係る撮像装置を、「接続型の撮像装置」と示す場合がある。また、以下では、「装着型の撮像装置」と「接続型の撮像装置」とを総称して、「本発明の実施形態に係る撮像装置」と示す。
【００１７】
つまり、本発明の実施形態に係る撮像装置は、装着型の撮像装置、または、装着型の装置に物理的に接続可能な、接続型の撮像装置である。
【００１８】
本発明の実施形態に係る撮像装置は、例えば、ユーザの一方の目を撮像対象とする第１の撮像部材と、ユーザの他方の目を撮像対象とする第２の撮像部材とを備え、ユーザの両目をそれぞれ撮像する。本発明の実施形態に係る撮像装置は、例えば、本発明の実施形態に係る撮像装置が備えているバッテリなどの内部電源から供給される電力、または、外部電源から供給される電力などによって、駆動する。
【００１９】
第１の撮像部材および第２の撮像部材それぞれは、例えば、鏡筒に設けられる光学系と、複数の撮像素子を有するイメ−ジセンサとを含んで構成される。イメ−ジセンサでは、例えば複数の撮像素子がマトリクス状に配置される。光学系は、１または２以上のレンズを含んで構成される。光学系を構成するレンズとしては、例えば、フォーカスレンズ、ズームレンズ、単焦点レンズなどの様々なレンズが、挙げられる。撮像素子としては、例えば、ＣＭＯＳ（Complementary  Metal  Oxide  Semiconductor）や、ＣＣＤ（Charge  Coupled  Device）などが、挙げられる。
【００２０】
なお、第１の撮像部材および第２の撮像部材それぞれの構成は、上記に示す例に限られない。
【００２１】
例えば、第１の撮像部材および第２の撮像部材のうちの少なくとも一方の撮像部材は、光学系を調整する調整機構を備えていてもよい。
【００２２】
調整機構は、例えば鏡筒に設けられ、光学系を構成するレンズの鏡筒内における位置関係を変える。調整機構としては、例えば、鏡筒に設けられ回動可能なリング状の回動部材と、回動部材の回動と連動して光学系を構成するレンズを鏡筒内で移動させるレンズ移動部材とが、挙げられる。レンズ移動部材は、例えばバネやゴムなどの弾性体を含んで構成され、回動部材の回動に応じてレンズを移動させる。
【００２３】
なお、本発明の実施形態に係る調整機構の構成は、上記に示す例に限られない。例えば、本発明の実施形態に係る調整機構は、手動で光学系を調整することが可能な任意の構成、または、モータなどの駆動により自動的に光学系を調整することが可能な任意の構成を、とることが可能である。
【００２４】
後述するように、本発明の実施形態に係る撮像装置では、第１の撮像部材および第２の撮像部材は、“装着型の撮像装置または装着型の装置がユーザの頭部に装着されたときにおける、第１の撮像部材と撮像対象のユーザの一方の目との間の距離”と、“装着型の撮像装置または装着型の装置がユーザの頭部に装着されたときにおける、第２の撮像部材と撮像対象のユーザの他方の目との間の距離”とが異なるように、配置される。以下では、“装着型の撮像装置または装着型の装置がユーザの頭部に装着されたときにおける、第１の撮像部材と撮像対象のユーザの一方の目との間の距離”を「第１の撮像部材と撮像対象の目との間の距離」と示す。また、以下では、“装着型の撮像装置または装着型の装置がユーザの頭部に装着されたときにおける、第２の撮像部材と撮像対象のユーザの他方の目との間の距離”を「第２の撮像部材と撮像対象の目との間の距離」と示す。
【００２５】
調整機構が備えられる場合、調整機構は、少なくとも第１の撮像部材および第２の撮像部材のうちの“装着型の撮像装置または装着型の装置がユーザの頭部に装着されたときに、撮像対象の目との距離がより大きくなる撮像部材”に設けられる。なお、調整機構が備えられる場合、調整機構は、第１の撮像部材および第２の撮像部材の双方に設けられていてもよい。つまり、第１の撮像部材および第２の撮像部材は、異なる構成であってもよいし、同一の構成であってもよい。
【００２６】
また、第１の撮像部材および第２の撮像部材それぞれは、撮像素子により生成されたアナログ信号を信号処理する信号処理回路を有していてもよい。信号処理回路は、例えば、ＡＧＣ（Automatic  Gain  Control）回路とＡＤＣ（Analog  to  Digital  Converter）とを含み、撮像素子により生成されたアナログ信号をデジタル信号（画像データ）に変換する。
【００２７】
また、第１の撮像部材および第２の撮像部材それぞれは、撮像により生成された画像信号（アナログ信号またはデジタル信号）を送信する送信器を有していてもよい。送信器としては、例えば、ＭＩＰＩ（Mobile  Industry  Processor  Interface）アライアンスのＣＳＩ−２（Camera  Serial  Interface  2）規格などの、画像信号を伝送することが可能な任意の規格に則った送信器が、挙げられる。なお、第１の撮像部材および第２の撮像部材それぞれが有する送信器は、任意の通信方式の有線通信または任意の通信方式の無線通信で、画像信号を送信する送信器であってもよい。
【００２８】
第１の撮像部材および第２の撮像部材それぞれにおける撮像により生成された画像信号は、例えば、第１の撮像部材および第２の撮像部材それぞれが有する送信器により、画像信号を処理する処理機能を有する外部装置へ伝送され、当該外部装置において処理される。
【００２９】
また、第１の撮像部材および第２の撮像部材それぞれは、ＩＲ  ＬＥＤなどの光源を有していてもよい。なお、ＩＲ  ＬＥＤなどの光源は、例えば、装着型の装置が備える光源など、本発明の実施形態に係る撮像装置の外部の光源であってもよいことは、言うまでもない。
【００３０】
第１の撮像部材および第２の撮像部材それぞれが光源を有する場合、第１の撮像部材および第２の撮像部材それぞれは、例えば、光源の発光と連動して撮像を行う。光源の発光と連動した撮像とは、例えば、“光源が発光しているときに第１の撮像部材および第２の撮像部材それぞれが撮像を行い、光源が発光していないときには、第１の撮像部材および第２の撮像部材それぞれが撮像を行わないこと”をいう。
【００３１】
光源の発光と第１の撮像部材および第２の撮像部材それぞれにおける撮像との連動は、例えば、本発明の実施形態に係る撮像装置が備えるプロセッサにより制御されてもよいし、本発明の実施形態に係る撮像装置の外部装置により制御されてもよい。本発明の実施形態に係る撮像装置がプロセッサを備える場合、当該プロセッサは、後述する処理回路として機能しうる。
【００３２】
第１の撮像部材および第２の撮像部材それぞれが光源の発光と連動して撮像を行うことによって、角膜反射像の観測をより効率的に行うことができ、また、本発明の実施形態に係る撮像装置において消費される消費電力を低減することができる。
【００３３】
本発明の実施形態に係る撮像装置は、例えば上記のような第１の撮像部材および第２の撮像部材を備えることによって、装着型の撮像装置または装着型の装置を頭部に装着したユーザの両目を、それぞれ撮像する。
【００３４】
なお、本発明の実施形態に係る撮像装置の構成は、上記に示す例に限られない。
【００３５】
例えば、本発明の実施形態に係る撮像装置は、第１の撮像部材および第２の撮像部材それぞれにおける撮像により生成された画像信号を処理する処理回路を、さらに備えていてもよい。
【００３６】
処理回路における処理としては、例えば、画像信号が示す撮像画像に基づき視線を検出する視線検出処理や、画像信号が示す撮像画像に基づき目を計測する処理など、撮像画像に対して行うことが可能な任意の処理が、挙げられる。本発明の実施形態に係る視線検出処理の一例としては、例えば、撮像画像に含まれる角膜反射像の位置に対する瞳孔の位置に基づいて視線を検出する処理（角膜反射法を利用した視線検出処理の一例）が挙げられる。また、目を計測する処理の一例としては、例えば、瞬目を計測する処理が挙げられる。なお、本発明の実施形態に係る画像信号が示す撮像画像に基づく処理が、上記に示す例に限られないことは、言うまでもない。
【００３７】
処理回路は、例えば、第１の撮像部材および第２の撮像部材それぞれと、データバスなどの信号線で電気的に接続され、第１の撮像部材および第２の撮像部材それぞれから信号線で伝送される画像信号を処理する。処理回路と第１の撮像部材および第２の撮像部材それぞれとを信号線で接続する規格としては、例えば、ＭＩＰＩアライアンスのＣＳＩ−２規格などが挙げられる。なお、第１の撮像部材および第２の撮像部材それぞれと処理回路とは、任意の通信方式の有線通信、または、任意の通信方式の無線通信で、画像信号を送受信してもよい。
【００３８】
処理回路としては、例えばＣＰＵ（Central  Processing  Unit）などのプロセッサが、挙げられる。
【００３９】
また、本発明の実施形態に係る撮像装置では、第１の撮像部材および第２の撮像部材の一方または双方が、上記処理回路を有していてもよい。上記処理回路を有する第１の撮像部材は、上記送信器を有していなくてもよく、また、上記処理回路を有する第２の撮像部材は、上記送信器を有していなくてもよい。
【００４０】
また、本発明の実施形態に係る撮像装置は、例えば、第１の撮像部材および第２の撮像部材それぞれにおける撮像により生成された画像信号を、無線通信または有線通信で送信する通信デバイスを、さらに備えていてもよい。通信デバイスとしては、例えば、第１の撮像部材および第２の撮像部材それぞれが有する送信器よりも、通信可能範囲が大きい通信方式に対応する通信デバイスが挙げられる。一例を挙げると、通信デバイスとしては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、ＬＡＮ（Local  Area  Network）端子および送受信回路（有線通信）などが挙げられる。
【００４１】
［１−２］第１の撮像部材および第２の撮像部材の配置
本発明の実施形態に係る撮像装置は、上述したように、第１の撮像部材および第２の撮像部材を備えることによって、装着型の撮像装置または装着型の装置を頭部に装着したユーザの両目を、それぞれ撮像する。
【００４２】
ここで、ユーザの両目をそれぞれ撮像するための撮像部材の配置としては、例えば上述した既存の装置のように、“ユーザの一方の目に対応する位置に第１の撮像部材を配置し、ユーザの他方の目に対応する位置に第２の撮像部材を配置する、２箇所への配置”が、挙げられる。
【００４３】
図１は、ユーザの両目をそれぞれ撮像するための撮像部材の配置の一例を概略的に示す説明図である。図１は、既存の撮像装置と同様に撮像部材が配置される撮像装置１０における、第１の撮像部材１２と第２の撮像部材１４との配置の一例を示している。
【００４４】
撮像装置１０では、図１に示すように、ユーザの右目に対応する位置とユーザの左目に対応する位置との２箇所に、第１の撮像部材１２と第２の撮像部材１４とが配置される。
【００４５】
例えば図１に示す撮像部材の配置では、第１の撮像部材１２によりユーザに右目が撮像され、第２の撮像部材１４によりユーザに左目が撮像される。よって、例えば図１に示す撮像部材の配置により、装着型の撮像装置または装着型の装置を頭部に装着したユーザの両目を、それぞれ撮像することが可能である。
【００４６】
しかしながら、図１に示すように、ユーザの右目に対応する位置とユーザの左目に対応する位置との２箇所に撮像部材が配置される場合には、上述したように、ユーザが２箇所に配置された撮像部材を煩わしく感じてしまう可能性が、ある。
【００４７】
そこで、本発明の実施形態に係る撮像装置では、第１の撮像部材および第２の撮像部材が、装着型の撮像装置または装着型の装置がユーザの頭部に装着されたときに、ユーザの一方の目側または他方の目側に位置するように、まとめて配置される。つまり、本発明の実施形態に係る撮像装置では、第１の撮像部材および第２の撮像部材が、１箇所にまとめて配置される。
【００４８】
また、本発明の実施形態に係る撮像装置では、例えば、まとめて配置された第１の撮像部材および第２の撮像部材が、装着型の撮像装置または装着型の装置がユーザの頭部に装着されたときに当該ユーザの有効視野の外に位置するように、配置されていてもよい。ユーザの有効視野の外への第１の撮像部材および第２の撮像部材の配置は、例えば、本発明の実施形態に係る撮像装置の設計段階において人間の視野特性を考慮することにより、実現される。
【００４９】
ここで、人間の視野特性は、例えば下記のように分類することが可能である。
・弁別視野：視力や色弁別などの視機能が優れ、人間が、任意のオブジェクトの形状や内容を認識することができる範囲
・有効視野：人間が、眼球運動を行うことにより、目的とするオブジェクトの形状や内容を認識することができる範囲
・その他の範囲：弁別視野、および有効視野以外の範囲
【００５０】
ユーザの有効視野の外に位置するような配置の例としては、例えば、“装着型の撮像装置または装着型の装置がユーザの頭部に装着されたときに、第１の撮像部材および第２の撮像部材が上記その他の範囲に位置するように、第１の撮像部材および第２の撮像部材をまとめて配置すること”が、挙げられる。第１の撮像部材および第２の撮像部材の、ユーザの有効視野の外に位置するような配置は、例えば、有効視野の範囲の統計量（人間の視野特性に対応する指標の一例）、第１の撮像部材および第２の撮像部材それぞれの撮像機能、撮像装置のデザインなどを考慮することにより、決定される。
【００５１】
なお、ユーザの有効視野の外に位置するような配置の例は、上記に示す例に限られない。例えば、第１の撮像部材および第２の撮像部材は、装着型の撮像装置または装着型の装置がユーザの頭部に装着されたときに、ユーザの死角となる任意の位置（ユーザの視界に入らない位置）に、配置されてもよい。
【００５２】
図２は、本発明の実施形態に係る撮像装置１００における、第１の撮像部材１０２と第２の撮像部材１０４との配置の一例を概略的に示す説明図である。
【００５３】
また、図３は、本発明の実施形態に係る撮像装置１００の外観の一例を示す説明図である。図３は、撮像装置１００が装着型の装置２００に接続して用いられる接続型の撮像装置である場合における、撮像装置１００の外観の一例を示している。
【００５４】
なお、図３に示す撮像装置１００と装着型の装置２００とは、一体の装置（すなわち、装着型の撮像装置）であってもよい。また、本発明の実施形態に係る撮像装置の外観が、図３に示す例に限られないことは、言うまでもない。
【００５５】
図２、図３に示す撮像装置１００では、第１の撮像部材１０２および第２の撮像部材１０４が、ユーザの右目側にまとめて配置されている。
【００５６】
図２、図３に示す例では、第１の撮像部材１０２は、ユーザの右目（ユーザの一方の目の一例）を撮像対象とし、第２の撮像部材１０４は、ユーザの左目（ユーザの他方の目の一例）を撮像対象としている。なお、本発明の実施形態に係る撮像装置が、“第１の撮像部材がユーザの左目（ユーザの一方の目の他の例）を撮像対象とし、第２の撮像部材がユーザの右目（ユーザの他方の目の他の例）を撮像対象とする構成”であってもよいことは、言うまでもない。
【００５７】
また、図２、図３に示す例では、第１の撮像部材１０２と撮像対象の目との間の距離よりも、第２の撮像部材と撮像対象の目との間の距離の方が大きくなるように、第１の撮像部材１０２および第２の撮像部材１０４が配置されている。
【００５８】
なお、本発明の実施形態に係る撮像装置における第１の撮像部材および第２の撮像部材の配置の例は、図２、図３に示す例に限られない。例えば、第１の撮像部材がユーザの右目を撮像対象とし、第２の撮像部材がユーザの左目を撮像対象とする場合、本発明の実施形態に係る撮像装置では、第２の撮像部材と撮像対象の目との間の距離よりも第１の撮像部材と撮像対象の目との間の距離の方が大きくなるように、第１の撮像部材および第２の撮像部材が配置されていてもよい。
【００５９】
図２、図３に示す撮像部材の配置では、第１の撮像部材１０２によりユーザに右目が撮像され、第２の撮像部材１０４によりユーザに左目が撮像される。よって、例えば図２、図３に示す撮像部材の配置により、装着型の撮像装置または装着型の装置を頭部に装着したユーザの両目を、それぞれ撮像することが可能である。
【００６０】
また、撮像装置１００では、図２、図３に示すように、第１の撮像部材１０２および第２の撮像部材１０４がユーザの右目側の１箇所にまとめて配置される。つまり、図２、図３に示す撮像部材の配置では、図１に示す撮像部材の配置よりも撮像部材が配置される箇所を減らすことができる。また、撮像部材が配置される箇所を減らすことは、ユーザにとって目障りとなる可能性がある部分を減らすことに該当する。
【００６１】
よって、仮に、１箇所にまとめて配置された第１の撮像部材１０２および第２の撮像部材１０４が、装着型の撮像装置または装着型の装置を頭部に装着したユーザに認識されたとしても、撮像部材の配置箇所が減ることによって、ユーザが感じる煩わしさは低減する。
【００６２】
また、１箇所にまとめて配置された第１の撮像部材１０２および第２の撮像部材１０４が、ユーザの有効視野の外に位置するように配置される場合には、ユーザが煩わしさを感じる可能性をより低減することが可能である。
【００６３】
したがって、撮像装置１００は、ユーザが感じうる煩わしさを低減することができる。
【００６４】
上述したように、図２、図３に示す撮像装置１００では、第１の撮像部材１０２と撮像対象の目との間の距離よりも、第２の撮像部材１０４と撮像対象の目との間の距離の方が大きくなるように、第１の撮像部材１０２および第２の撮像部材１０４が配置されている。そのため、例えば第１の撮像部材１０２の解像度と第２の撮像部材１０４の解像度とが同一である場合には、下記に示すような事態が生じうる。
・第２の撮像部材１０４における撮像により得られる撮像画像では、第１の撮像部材１０２における撮像により得られる撮像画像よりも、撮像対象の目を示す領域以外の領域が大きくなる。
【００６５】
ここで、上記のような事態が生じたとしても、例えば、上述した画像信号を処理する処理機能を有する外部装置や上述した画像信号を処理する処理回路において、画像処理が行われることによって、ユーザの視線の検出やユーザの瞬目の検出などを行うことは、可能である。
【００６６】
一方、上述したように、本発明の実施形態に係る撮像装置では、第１の撮像部材および第２の撮像部材のうち、少なくとも“装着型の撮像装置または装着型の装置がユーザの頭部に装着されたときに、撮像対象の目との距離がより大きくなる撮像部材”に、調整機構が設けられうる。調整機構が設けられる場合、図２、図３に示す撮像装置１００では、少なくとも撮像対象の目との距離がより大きい第２の撮像部材１０４に、調整機構が設けられる。
【００６７】
第２の撮像部材１０４に調整機構が設けられることによって、第２の撮像部材１０４では、光学系を調整することができ、第２の撮像部材１０４における光学系の調整によって、第２の撮像部材１０４における撮像範囲や被写界深度は調整される。
【００６８】
図４は、本発明の実施形態に係る撮像装置１００における撮像状態の一例を示す説明図であり、第１の撮像部材１０２の解像度と第２の撮像部材１０４の解像度とが同一である場合における撮像装置１００における撮像状態の一例を示している。また、図５は、本発明の実施形態に係る撮像装置１００における撮像状態の他の例を示す説明図であり、第２の撮像部材１０４が有する調整機構により光学系が調整された後の、撮像装置１００における撮像状態の一例を示している。図４に示す“Ｒ”および図５に示す“Ｒ”は、第２の撮像部材１０４の撮像範囲を概念的に示している。
【００６９】
第２の撮像部材１０４が有する調整機構により光学系が調整されることによって、第２の撮像部材１０４の画角や光学ズーム倍率などが変更され、その結果、図４、図５に示すように第２の撮像部材１０４における撮像範囲なども変更される。
【００７０】
よって、少なくとも第２の撮像部材１０４に調整機構が設けられることによって、第１の撮像部材１０２の解像度と第２の撮像部材１０４の解像度とが同一である場合であっても、第１の撮像部材１０２および第２の撮像部材１０４それぞれで、目が同様に撮像された撮像画像を得ることができる。
【００７１】
また、第１の撮像部材１０２および第２の撮像部材１０４それぞれで、目が同様に撮像された撮像画像が得られることによって、上述した外部装置や処理回路における処理の精度の低下を防止することが、可能となる。
【００７２】
［２］本発明の実施形態に係る撮像装置により奏される効果の一例
本発明の実施形態に係る撮像装置が用いられることによって、例えば下記に示す効果が奏される。なお、本発明の実施形態に係る撮像装置により奏される効果が、下記に示す効果に限られないことは、言うまでもない。
・第１の撮像部材および第２の撮像部材が、ユーザの片目側にまとめて配置されるので、ユーザが感じうる煩わしさを低減することができる。
・まとめて配置される第１の撮像部材および第２の撮像部材が、ユーザの有効視野の外に位置するように配置されることによって、ユーザが感じうる煩わしさをさらに低減することができる。
・第１の撮像部材および第２の撮像部材のうち、少なくとも“装着型の撮像装置または装着型の装置がユーザの頭部に装着されたときに、撮像対象の目との距離がより大きくなる撮像部材”に、調整機構が設けられることによって、第１の撮像部材および第２の撮像部材がまとめて配置される場合であっても、同等の解像度でユーザの両目それぞれが撮像された撮像画像を得ることができる。
【００７３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００７４】
１０、１００    撮像装置
１２、１０２    第１の撮像部材
１４、１０４    第２の撮像部材
２００    装着型の装置
【図１】
2019054482.tif 000003
【図２】
2019054482.tif 000004
【図３】
2019054482.tif 000005
【図４】
2019054482.tif 000006
【図５】
2019054482.tif 000007